(57)【要約】【課題】  厚紙包装体を柱状食品に包んで包装し、その厚紙包装体の外周にラベルを装着する包装体において、ラベルがズレることのない柱状食品用包装体を得る。【解決手段】  少なくとも柱状食品の側面部を包む厚紙包装体と、この厚紙包装体の筒部の外周面の一部に密着被覆された伸長性のない包装ラベルとからなる包装体において、包装ラベルを密着被覆している厚紙包装体の筒部の両端縁部に挟まれた中間部には、両端縁部の外周長さよりも短い外周長さであるくびれ領域を含むもの。【選択図】      図２
2014000963.tif 000002
【特許請求の範囲】
【請求項１】
少なくとも柱状食品の側面部を包む厚紙包装体と、この厚紙包装体の筒部の外周面の一部に密着被覆された伸長性のない包装ラベルとからなる包装体において、
前記包装ラベルを密着被覆している厚紙包装体の筒部の両端縁部に挟まれた中間部には、両端縁部の外周長さよりも短い外周長さであるくびれ領域を含むことを特徴とする柱状食品用包装体。
【請求項２】
前記くびれ領域が、厚紙包装体の筒部の両端縁部に挟まれた中間部に１つ以上形成されたことを特徴とする請求項１に係る柱状食品用包装体。
【請求項３】
前記包装ラベルが、熱収縮性プラスチックフィルム製の筒状体を加熱して密着されたものであることを特徴とする請求項１又は２に係る柱状食品用包装体。
【請求項４】
前記厚紙包装体が、柱状食品の側面部を包む厚紙製の筒状容器であり、
この筒状容器の筒部が内側に潰されていることを特徴とする請求項１〜３の何れか１項に記載の柱状食品用包装体。
【請求項５】
前記厚紙包装体が、柱状食品の側面部に巻き付けられた片面段ボールであり、
この片面段ボールの筒部の波形の中芯材が潰されていることを特徴とする請求項４に記載の柱状食品用包装体。
【請求項６】
前記厚紙包装体が、柱状食品を内部に収納する厚紙製の角筒状容器であり、
この角筒状容器の筒部の角部が面取り状に潰されていることを特徴とする請求項４に記載の柱状食品用包装体。
【発明の詳細な説明】
【技術分野】
【０００１】
本発明は例えば伊達巻や厚焼き卵のような柱状食品用包装体に関するものである。より詳しくは、柱状食品を包んで形成された厚紙包装体と、この厚紙包装体の外周面に密着被覆された包装ラベルとからなる包装体において、包装ラベルのズレ防止に関する。
【背景技術】
【０００２】
伊達巻は、塩摺り魚肉すり身に溶いた卵を加えてよく撹拌し、みりんや砂糖等の調味料を添加して焼き上げ、熱いうちに巻き簾（まきす）で巻いて形を整えたものである。このため、伊達巻は巻き簾と視認できるような包装材をその本体に巻いて完成商品とし、市場に流通するのが商慣習化している。
【０００３】
そもそも巻き簾は、竹と木綿糸で構成され、細長く切りそろえた竹が木綿糸によって編まれている。特に鬼簾（おにすだれ）は伊達巻など巻く対象の表面を意図して凹凸にさせるために利用される。このように伊達巻の製造工程で簾が使用されることをイメージして最終製品にも簾が巻かれた状態にし、それに商品名や出所源を表示した包装紙を巻いて販売されている。
【０００４】
しかし、実際の製造工程で使用する細長く切りそろえた竹と木綿糸によって編まれている巻き簾は、製造に手間がかかり、重量もあり、高価であることから商品に使用することは難しいものであった。
【０００５】
そこで、細長く切りそろえた竹の代替品として、例えば、ポリプロピレン等のプラスチックのストロー形状の管を木綿糸で編んで巻き簾状にしたものが製造されるに至っている。このプラスチック製の巻き簾は量産化が可能で、軽量でもあることから使い勝手が良いとの評価を得ていた。
【０００６】
しかしながら、原料がプラスチックであることから環境保護への影響や、伊達巻への巻き付け等の作業性の問題、商品の見栄えや、更なるコストの削減の必要性の問題が生じていた。これらの問題を解決するためにプラスチック製の巻き簾に変えて片面段ボールを使用することが考えられた（例えば、特許文献１参照）。この場合、伊達巻に巻き付ける片面段ボールの波状シートの波状部分を外表面とすることで巻き簾の細長く切り揃えた竹のような外観の体裁を整えることができる利点がある。
【先行技術文献】
【特許文献】
【０００７】
【特許文献１】実用新案登録第３１６６６１６公報
【発明の概要】
【発明が解決しようとする課題】
【０００８】
ここで商品として市場に流出するには、商品の外装に商品名、原材料、出所源、賞味期限等の表示をする必要がある。しかしながら、段ボール表面に直接印刷すると、外表面が波状の形態を有することから詳細事項が不明確となり読みづらくなる問題が生じる。また伊達巻に巻き付けることによって生じる段ボールの貼り合わせ部分があるため、商品名等がズレないような貼りズレの精度が生産時に要求される。更に商品毎の在庫が必要となるため生産調整があった場合扱いに困難が生じてしまう。
【０００９】
プラスチック製の巻き簾の使用の際も必要事項を印刷したラベルである包装フィルムを包装体に被覆することが行われていたこともあり、商品名等の必要事項を印刷したラベルを包装体に被覆することが検討された。
【００１０】
しかし、製造時に片面段ボールの厚紙包装体に被覆したフィルムが流通時に滑ってズレてしまい、商品ラベルの抜けによる消失、またズレによる商品名等の認識が困難となり見栄えも悪くなって商品品質を欠く等の問題が生じるに至った。
【００１１】
本発明は、従来のプラスチック製の巻き簾に変えて厚紙包装体を伊達巻等の柱状食品に包んで包装し、その厚紙包装体の外周に商品名等を印刷したラベルを装着する包装体において、ラベルが厚紙包装体の所定位置からのズレを防止する柱状食品用包装体を得ることを目的とする。
【課題を解決するための手段】
【００１２】
請求項１に記載された発明に係る柱状食品用包装体は、少なくとも柱状食品の側面部を包む厚紙包装体と、この厚紙包装体の筒部の外周面の一部に密着被覆された伸長性のない包装ラベルとからなる包装体において、
前記包装ラベルを密着被覆している厚紙包装体の筒部の両端縁部に挟まれた中間部には、両端縁部の外周長さよりも短い外周長さであるくびれ領域を含むことを特徴とするものである。
【００１３】
請求項２に記載された発明に係る柱状食品用包装体は、請求項１に記載のくびれ領域が、厚紙包装体の筒部の両端縁部に挟まれた中間部に１つ以上形成されたことを特徴とするものである。
【００１４】
請求項３に記載された発明に係る柱状食品用包装体は、請求項１又は２に記載の包装ラベルが、熱収縮性プラスチックフィルム製の筒状体を加熱して密着されたものであることを特徴とするものである。
【００１５】
請求項４に記載された発明に係る柱状食品用包装体は、請求項１〜３の何れか１項に記載の厚紙包装体が、柱状食品の側面部を包む厚紙製の筒状容器であり、
この筒状容器の筒部が内側に潰されていることを特徴とするものである。
【００１６】
請求項５に記載された発明に係る柱状食品用包装体は、請求項４に記載の厚紙包装体が、柱状食品の側面部を包む片面段ボールであり、
この片面段ボールの筒部の波形の中芯材が潰されていることを特徴とするものである。
【００１７】
請求項６に記載された発明に係る柱状食品用包装体は、請求項４に記載の厚紙包装体が、柱状食品を内部に収納する厚紙製の角筒状容器であり、
この角筒状容器の筒部の角部が面取り状に潰されていることを特徴とするものである。
【発明の効果】
【００１８】
本発明は、従来のプラスチック製の巻き簾に変えて厚紙包装体を伊達巻等の柱状食品に包んで包装し、その厚紙包装体の外周に商品名等を印刷したラベルを装着する包装体において、ラベルが厚紙包装体の所定位置からのズレを防止する柱状食品用包装体を得ることができるという効果がある。
【図面の簡単な説明】
【００１９】
【図１】本発明の柱状食品用包装体の一実施例の構成を示す説明図である。
【図２】図１の柱状食品用包装体の側面図であり、一部要部の拡大図を示す。
【図３】図１の柱状食品用包装体の厚紙包装体の展開平面図である。
【図４】図３の正面図であり、一部要部の拡大図を示す。
【図５】図３のＡ−Ａ断面の要部拡大図である。
【図６】図３のＢ−Ｂ断面の要部拡大図である。
【図７】図３の押圧領域の形成を説明する説明図である。
【図８】本発明の柱状食品用包装体の別の実施例の構成を示す説明図である。
【発明を実施するための形態】
【００２０】
厚紙包装体に被覆したフィルムが流通時に滑ってズレてしまう現象の検証より、従来のプラスチック製の巻き簾においては、プラスチック製のストローを編む木綿糸が巻き簾の外周面に熱収縮して被覆した包装ラベルの滑り止めとなって包装ラベルの滑りによるズレを防止していたことが判った。特に、片面段ボールの厚紙包装体では、片面段ボールの凹凸面を外周面とすると被覆したフィルムとの接触面も少なくなり、一層ズレ易いものとなっていた。
【００２１】
本発明においては、少なくとも柱状食品の側面部を包む厚紙包装体と、この厚紙包装体の筒部の外周面の一部に密着被覆された伸長性のない包装ラベルとからなる包装体であり、包装ラベルを密着被覆している厚紙包装体の筒部の両端縁部に挟まれた中間部には、両端縁部の外周長さよりも短い外周長さであるくびれ領域を含むことを特徴とする。これにより、包装ラベルが厚紙包装体の所定位置からのズレを防止することができる。
【００２２】
即ち、伸長性のない包装ラベルが、くびれ領域を含む厚紙包装体の筒部の中間部外周面に密着被覆されるため、くびれ領域の外周長さよりもこのくびれ領域を挟む厚紙包装体の両端縁部の外周長さの方が大きくなっていることから、包装ラベルが滑りによって厚紙包装体のくびれ領域を挟む中間部から両端縁部方向へのズレが防止される。
【００２３】
このくびれ領域は、厚紙包装体の筒部の両端縁部に挟まれた中間部に少なくとも１つあればよく、好ましくは、複数のくびれ領域があれば包装ラベルの滑りによって厚紙包装体の両端縁部方向へのズレがより防止される。例えば、中間部全体にくびれ領域があるもの、好ましくは中間部の一端部並びに他端部の各々にくびれ領域があるもの、より好ましくは、中間部の一端部、中央部、他端部に複数のくびれ領域があるものが考えられる。尚、複数のくびれ領域を設ける場合、そのくびれ領域の凹幅や、くびれ領域の間隔は適宜調整すればよい。
【００２４】
本発明の包装ラベルとしては、厚紙包装体の筒部外周面に密着被覆可能であって、伸長性のないものであれば良い。好ましくは、厚紙包装体の筒部外周面に密着被覆操作が容易で、ラベルの視認性も良好な包装ラベルとしては、熱収縮性プラスチックフィルム製の筒状体が好適である。
【００２５】
具体的な包装ラベルとしては、熱により収縮する特性を有する熱収縮フィルムを使用する。素材として縦方向と横方向に収縮する二軸延伸ポリスチレン、収縮ポリ塩化ビニル、収縮ポリエチレン等がある。この熱収縮フィルムには予め商品名等の必要事項が印刷され、未使用時には表裏の熱収縮フィルムが重ね合った長方形である。使用時には重ね合った表裏の熱収縮フィルムをずらして筒状とし、包装体に被せることが可能な形状を有するものである。熱収縮フィルムの標準的なサイズは、縦９０〜１８０ｍｍ、横９０〜１２０ｍｍ、厚さ４０〜６０μｍとする。
【００２６】
熱収縮フィルムは、これを被覆された包装体自体を熱風加熱処理して密着被覆する。具体的には、棒状食品を包む厚紙包装体に筒状の熱収縮フィルムを所定の位置に被せたものを熱風により処理する。熱風処理は、一度で密着被覆させてもよいが、好ましくは、一次加熱として１１０〜１２０℃で４秒間、二次加熱として１４０〜１５０℃で４秒間の熱風加熱を連続的に行う。具体的には、搬送コンベアと熱風が吹き出されるトンネルから構成される熱風加熱装置の搬送コンベア上に被加熱物を置いて通過させることで包装体に被覆された熱収縮フィルムが収縮し包装体に該フィルムが密着する。
【００２７】
本発明の包装ラベルが密着被覆する厚紙包装体は、厚紙包装体の筒部中間部のくびれ領域の外周長さに対して筒部の中間部を挟む両端縁部の外周長さの方が大きい特徴を有しているが、包装ラベルは少なくともその幅の一部が筒部の中間部を跨げばよい。即ち、包装ラベルの帯の全幅が外周の長さが短い筒部の中間部に密着被覆されても、包装ラベルの帯の両端部が筒部の中間部を超えて密着被覆されても良い。
【００２８】
本発明の厚紙包装体としては、柱状食品の側面部を包む厚紙製の筒状容器であれば良い。加えて、この筒状容器の筒部の中間部が内側に潰されているものであれば良い。厚紙製の筒状容器は、波形の中芯材の一方又は両方にライナーが貼着された段ボールであっても、通常の厚紙製であっても良い。
【００２９】
具体的な好ましい態様としては、柱状食品の側面部に巻き付けた片面段ボールであってこの片面段ボールの筒部の中間部の波形の中芯材が潰されているものや、柱状食品を内部に収納する厚紙製の角筒状容器であってこの角筒状容器の筒部の中間部の角部が面取り状に潰されているもの等が挙げられる。
【００３０】
特に、片面段ボールがその中芯材面を捲回の表面側に使用されることで、中芯材の波状シートの凹凸面があたかも細長く切りそろえた竹が編まれた簾のように見える。従って、波状シート側を包装体の外表面となるように使用することで従来の簾を巻いたものと同様な外観を施す視覚効果を生むため、柱状食品の側面部に巻き付けた片面段ボールであってこの片面段ボールの筒部の波形の中芯材が潰されているものでは、伊達巻に巻き付ける片面段ボールの波状シートの波状部分を外表面とすることで簾の細長く切りそろえた竹のような外観の体裁を整えることができる。
【００３１】
また、片面段ボールでも中身の被包装食品を十分に保護でき従来品と比較して遜色はない。しかし、厚紙包装体として使用される厚紙としては、これに限定されるものでなくライナーに波状シートの中芯を貼り付け、さらに裏側にライナーで補強した段ボールシートでもよい。被包装食品に接するライナー面及び外観となる波状シートの外表面、すなわち包装厚紙の表・裏は撥水加工を施して水滴等からの補強を図る。
【００３２】
更に、見栄えを向上させるため厚紙包装体の表・裏を金色、銀色等の色彩を施す。波状シートの波状部分の凹凸の高さは２〜６ｍｍの範囲で構成される。一片の厚紙包装体は標準で、縦１２０〜２２０ｍｍ、横１９０〜２１０ｍｍ、厚さ３〜７ｍｍである。
【００３３】
また、厚紙包装体は、所定サイズの大判紙を裁断して複数枚が同時に製造される。具体的には、裁断手段として裁断枚数に応じたサイズの鉄板に一片の片面段ボールのサイズの抜刃を製造枚数に応じた数を設置し該段ボールの裏側から押圧して裁断する。この際、片面段ボールの筒部の波形の中芯材を潰してくびれ領域を得るために、好ましくは、一片の片面段ボールの抜刃の型の内側の鉄板に所望する片面段ボールのくびれ領域とするために押圧する領域に該当する箇所に罫線刃やコルク等からなる凸形状の型を設置する。
【００３４】
この凸状の型は抜刃の長さより短いものとし、複数の間隔を開けた罫線刃やコルク等の柔軟性を有する素材による型を使用することで片面段ボールの破損を防止することができる。この型により片面段ボールに成型された押圧領域は、例えば一対の傾斜面とその間に形成された底部から構成されるものになる。
【００３５】
片面段ボールに成型される押圧領域は、筒部とした際にくびれ領域が形成されれば良いため、中芯材の波形の頂点を結ぶ方向に対して横方向の一端から他端に亘り断続的なものでも良いが、好ましくは連続的なほうが良い。
【実施例】
【００３６】
実施例１．柱状食品用包装体の構成１
図１は本発明の柱状食品用包装体の一実施例の構成を示す伊達巻の説明図である。図２は図１の柱状食品用包装体の側面図であり、一部要部の拡大図を示す。図１及び図２に示された柱状食品１０としての伊達巻は、三方ピローにより包装した伊達巻本体１１を本発明の包装体で包装したものである。
【００３７】
具体的には、長さ約２００ｍｍ、直径５０〜６０ｍｍの略円筒形状に巻いた調理玉子を三方ピローで包装した一次包装伊達巻１１を、厚紙包装体１２で巻いて略円筒形状とし、その中央の筒部を包装ラベル１３で密着被覆されている。厚紙包装体１２は、縦：２２０ｍｍ、横：２１０ｍｍ、厚さ：３ｍｍの片面段ボールであり、波形の中芯材とこの下面に被着されたライナーとは、撥水加工と金色に着色加工されている。
【００３８】
図２に示す通り、厚紙包装体１２は捲回した際に筒部の両端縁部２１よりも筒部の中間部２２に縮径となった領域がくびれとなって４つ形成されている。即ち、４つのくびれ領域１４が他の厚紙包装体１２の筒部の外周長さよりも短くなっている。この縮径となっているくびれ領域１４は、波形の中芯材３０とこの下面に被着されたライナー３１とからなる片面段ボールの波形の中芯材３０をライナー３１方向に押し潰された押圧領域１４が筒部となって構成されている。
【００３９】
また、厚紙包装体１２は、一次包装伊達巻１１を片面段ボールのライナー３１面上に置き、一次包装伊達巻１１と片面段ボールの接する一端部を接着テープで止めた上で片面段ボールを一次包装伊達巻１１に巻き、片面段ボールが重なり合った部分の他端部と下側の段ボールをテープ（図示せず）で仮止めした。
【００４０】
仮止めされた厚紙包装体１２の外周を熱収縮性プラスチックフィルム製の筒状体の包装ラベル１３で包んで加熱して熱収縮フィルムを収縮させた。この包装ラベル１３は二軸延伸ポリスチレン製で、縦：１８０ｍｍ、横：１０８ｍｍ、厚さ：６０μｍであった。この包装ラベルには商品の名称、原材料名、内容量、製造者等の必要事項が印刷されており、このラベルが被覆された包装体を熱風加熱装置により一次加熱（１２０℃  ４秒）と二次加熱（１５０℃  ４秒）に分けて連続的に熱風加熱処理した。三方ピロー包装された伊達巻本体１１を巻いた片面段ボールの包装体１２の外周面に包装ラベル１３が密着被覆された伊達巻１０を得た。
【００４１】
その後冷却した伊達巻の包装体には熱風により収縮したフィルムが波状シートに成型された傾斜を有する凹部に密接被覆しているものが得られた。この包装体の端部とフィルムが被覆されている部分を持って引っ張ったがかなりの力を入れない限りズレを生じることはなかった。また、伊達巻包装体を−２５℃で凍結し、その後解凍して同様な引っ張りテストを行ったがズレによる問題は生じなかった。
【００４２】
実施例２．厚紙包装材の製造
図３は図１の柱状食品用包装体の厚紙包装体の展開平面図である。図４は図３の正面図であり、一部要部の拡大図を示す。図５は図３のＡ−Ａ断面の要部拡大図である。図６は図３のＢ−Ｂ断面の要部拡大図である。図７は図３の押圧領域の形成を説明する説明図である。図３及び図４に示す通り、実施例１で使用した厚紙包装体１２は波形の中芯材３０とこの下面に被着されたライナー３１とからなる片面段ボールであり、４列の中芯材３０の波形が押し潰された押圧領域１４が形成されている。
【００４３】
具体的には、図３に示す通り、縦２２０ｍｍ、横２１０ｍｍ、厚さ：３ｍｍの片面段ボールについて、上下端から３５ｍｍの箇所に上下幅１０ｍｍの２つの押圧領域１４と、更にそれらの内側に各３６．７ｍｍの箇所に上下幅１０ｍｍの２つの押圧領域１４とが形成されている。尚、上下端から２０ｍｍの左右中央部に上下幅１ｍｍ、左右幅２１．５ｍｍの折れ溝部１６が形成されている。この折れ溝部１６は包装ラベル１３を配置する際に中心位置の目安となる。
【００４４】
厚紙包装体１２は、図５に示す通り、Ａ−Ａ断面では、中芯材３０は揃った波形となっているが、図６に示す通り、厚紙包装体１２の押圧領域１４のＢ−Ｂ断面では、中芯材３０の波形が押し潰された状態となっている。これにより波形の高さが相対的に低くなっているため、包装ラベル１３で密着被覆された場合には、４列の押圧領域１４では外周長さが他よりも短くなる。
【００４５】
これらの４列の押圧領域１４は、段ボールに折れ線領域を付ける罫線刃で形成した。図７のａ図に示す通り、波形の中芯材３０とこの下面に被着されたライナー３１とからなる片面段ボールの所望の位置に押圧領域１４の形成を行うに当たり、ｂ図に示す通り、波形の中芯材３０のライナー面側から中芯材の波形を横切るように押圧する一対の罫線刃７１と、これら罫線刃７１の各々を中芯材３０側から押さえる受け７２とで挟む。これによりｃ図に示す通り、押圧領域１４が形成される。
【００４６】
尚、一対の罫線刃７１によるものではなく、例えば段ボールを所定の大きさに切断する厚紙裁断機に押圧領域に対応するコルクを装着したり、厚紙裁断時に押圧により凹部を片面段ボールに成型して、形成しても良い。
【００４７】
実施例３．柱状食品用包装体の構成２
図８は本発明の柱状食品用包装体の別の実施例の構成を示す説明図であり、厚紙包装体端部の一部を切欠いた状態で収納されている食品本体が表示された状態を示している。図８に示す通り、柱状食品用包装体８０は、内部に三方ピロー包装された厚焼き卵本体８１が収納された箱状の厚紙包装体８２の４本の長手角部の両端縁部に挟まれた中央部の角部を内側へ面取り状に潰されているくびれ領域としてのラベル保持領域８４が形成されている。
【００４８】
この保持領域８４の外周を熱収縮性プラスチックフィルム製の筒状体の包装ラベル８３で包んで加熱して熱収縮フィルムを収縮させた。この包装ラベル８３は前述の実施例と同様に、二軸延伸ポリスチレン製で、縦：１８０ｍｍ、横：１０８ｍｍ、厚さ：６０μｍであった。
【００４９】
この包装ラベル８３には商品の名称、原材料名、内容量、製造者等の必要事項が印刷されており、このラベルが被覆された包装体を熱風加熱装置により一次加熱（１２０℃  ４秒）と二次加熱（１５０℃  ４秒）に分けて連続的に熱風加熱処理した。三方ピロー包装された厚焼き卵本体８１を内部に収納した厚紙製包装体８２の外周面に包装ラベル８３が密着被覆された厚焼き卵の柱状食品用包装体８０を得た。
【００５０】
その後冷却した厚焼き卵の包装体８０には熱風により収縮した包装ラベル８３のフィルムが保持領域８４内に密接被覆しているものが得られた。この包装体８０と包装ラベル８３が被覆されている部分を持って引っ張ったがかなりの力を入れない限りズレを生じることはなかった。
【００５１】
以上の通り、凹部を一対の傾斜面及び底部、又は一対の傾斜面と返し部及び底部にすることで段ボールの包装体のくびれ領域とするために押圧する領域と熱収縮フィルムとの密着性が向上し以下の効果が期待できる。
(1) 片面段ボールの包装体の外周に被覆した熱収縮フィルムの滑りによるズレの発生を防止でき、また商品名等の認識が明確となり見栄えを良くする。
(2) 片面段ボールの包装体の外周に被覆した熱収縮フィルムの滑りをなくすことでフィルムの抜けによる消失を防止できる。
【符号の説明】
【００５２】
１０…柱状食品（伊達巻）、
１１…伊達巻本体、
１２…厚紙包装体、
１３…包装ラベル、
１４…くびれ領域（押圧領域）、
１６…折れ溝部、
２１…筒部の両端縁部、
２２…筒部の中間部、
３０…中芯材、
３１…ライナー、
７１…罫線刀、
７２…受け、
８０…柱状食品包装体、
８１…厚焼き卵本体、
８２…厚紙包装体、
８３…包装ラベル、
８４…ラベル保持領域（くびれ領域）、
【図１】
2014000963.tif 000003
【図２】
2014000963.tif 000004
【図３】
2014000963.tif 000005
【図４】
2014000963.tif 000006
【図５】
2014000963.tif 000007
【図６】
2014000963.tif 000008
【図７】
2014000963.tif 000009
【図８】
2014000963.tif 000010
【手続補正書】
【提出日】平成24年12月4日(2012.12.4)
【手続補正１】
【補正対象書類名】特許請求の範囲
【補正対象項目名】全文
【補正方法】変更
【補正の内容】
【特許請求の範囲】
【請求項１】
少なくとも柱状食品の側面部を包む厚紙包装体と、この厚紙包装体の筒部の外周面の一部に密着被覆された伸長性のない包装ラベルとからなる包装体において、
前記厚紙包装体が柱状食品の側面部を含む片面段ボールの筒状容器であり、
前記柱状食品の側面部を包む片面段ボールの筒部の両端縁部に挟まれた中間部には、両端縁部の外周長さよりも短い外周長さであるくびれ領域を有し、
当該くびれ領域が、前記片面段ボールの波形の中芯材が潰されたものであり、
このくびれ領域を含む筒状容器の筒部の中間部外周面に前記包装ラベルが密着被覆されていることを特徴とする柱状食品用包装体。
【請求項２】
前記くびれ領域が、厚紙包装体の筒部の両端縁部に挟まれた中間部に１つ以上形成されたことを特徴とする請求項１に記載の柱状食品用包装体。
【請求項３】
前記包装ラベルが、熱収縮性プラスチックフィルム製の筒状体を加熱して密着されたものであることを特徴とする請求項１又は２に記載の柱状食品用包装体。
【請求項４】
少なくとも柱状食品の側面部を包む厚紙包装体と、この厚紙包装体の筒部の外周面の一部に密着被覆された伸長性のない包装ラベルとからなる包装体において、
前記厚紙包装体が、柱状食品を内部に収納する厚紙製の角筒状容器であり、
当該厚紙包装体の筒部の両端縁部に挟まれた中間部には、筒部を内側に潰すことで両端縁部の外周長さよりも短い外周長さであるくびれ領域を有し、
この厚紙包装体の筒部の中間部の角部が面取り状に潰されており、
このくびれ領域を含む筒状容器の筒部の中間部外周面に前記包装ラベルが密着被覆されていることを特徴とする柱状食品用包装体。
【請求項５】
前記くびれ領域が、厚紙包装体の筒部の両端縁部に挟まれた中間部に１つ以上形成されたことを特徴とする請求項４に記載の柱状食品用包装体。
【請求項６】
前記包装ラベルが、熱収縮性プラスチックフィルム製の筒状体を加熱して密着されたものであることを特徴とする請求項４又は５に記載の柱状食品用包装体。
【手続補正２】
【補正対象書類名】明細書
【補正対象項目名】００１２
【補正方法】変更
【補正の内容】
【００１２】
請求項１に記載された発明に係る柱状食品用包装体は、少なくとも柱状食品の側面部を包む厚紙包装体と、この厚紙包装体の筒部の外周面の一部に密着被覆された伸長性のない包装ラベルとからなる包装体において、
前記厚紙包装体が柱状食品の側面部を含む片面段ボールの筒状容器であり、
前記柱状食品の側面部を包む片面段ボールの筒部の両端縁部に挟まれた中間部には、両端縁部の外周長さよりも短い外周長さであるくびれ領域を有し、
当該くびれ領域が、前記片面段ボールの波形の中芯材が潰されたものであり、
このくびれ領域を含む筒状容器の筒部の中間部外周面に前記包装ラベルが密着被覆されていることを特徴とするものである。
【手続補正３】
【補正対象書類名】明細書
【補正対象項目名】００１５
【補正方法】変更
【補正の内容】
【００１５】
請求項４に記載された発明に係る柱状食品用包装体は、少なくとも柱状食品の側面部を包む厚紙包装体と、この厚紙包装体の筒部の外周面の一部に密着被覆された伸長性のない包装ラベルとからなる包装体において、
前記厚紙包装体が、柱状食品を内部に収納する厚紙製の角筒状容器であり、
当該厚紙包装体の筒部の両端縁部に挟まれた中間部には、筒部を内側に潰すことで両端縁部の外周長さよりも短い外周長さであるくびれ領域を有し、
この厚紙包装体の筒部の中間部の角部が面取り状に潰されており、
このくびれ領域を含む筒状容器の筒部の中間部外周面に前記包装ラベルが密着被覆されていることを特徴とするものである。
【手続補正４】
【補正対象書類名】明細書
【補正対象項目名】００１６
【補正方法】変更
【補正の内容】
【００１６】
請求項５に記載された発明に係る柱状食品用包装体は、請求項４に記載のくびれ領域が、厚紙包装体の筒部の両端縁部に挟まれた中間部に１つ以上形成されたことを特徴とするものである。
【手続補正５】
【補正対象書類名】明細書
【補正対象項目名】００１７
【補正方法】変更
【補正の内容】
【００１７】
請求項６に記載された発明に係る柱状食品用包装体は、請求項４又は５に記載の包装ラベルが、熱収縮性プラスチックフィルム製の筒状体を加熱して密着されたものであることを特徴とするものである。
【手続補正６】
【補正対象書類名】明細書
【補正対象項目名】００２１
【補正方法】変更
【補正の内容】
【００２１】
本発明においては、少なくとも柱状食品の側面部を包む厚紙包装体と、この厚紙包装体の筒部の外周面の一部に密着被覆された伸長性のない包装ラベルとからなる包装体であり、厚紙包装体の筒部の両端縁部に挟まれた中間部には、両端縁部の外周長さよりも短い外周長さであるくびれ領域が形成され、包装ラベルが前記厚紙包装体のくびれ領域に密着被覆されていることを特徴とする。これにより、包装ラベルが厚紙包装体の所定位置からのズレを防止することができる。